(57)【特許請求の範囲】
【請求項１】
携帯端末における情報提供方法であって、
複数の情報表示領域を有する少なくとも２つの統合アプリケーション実行画面を表示するステップと、
前記情報表示領域のうちの一つの情報表示領域に表示されるアプリケーションを実行するための第１インタラクションを検出するステップと、
前記第１インタラクションの検出によって前記情報表示領域に表示された情報に連係されたアプリケーションを実行するステップと、
前記アプリケーションの実行画面で特定の動作を実行するための第２インタラクションを検出するステップと、
前記第２インタラクションの検出によって前記情報表示領域に表示された情報に対応する前記特定の動作を実行する画面を表示するステップと、を有し、
前記特定の動作は、
前記アプリケーションの実行画面の前又は次のデータを表示するためのインタラクションと、
前記統合アプリケーション実行画面を再び表示するためのインタラクションと、
前記アプリケーションの実行画面を編集するためのインタラクションと、のうちの少なくとも１つであり、
前記少なくとも２つの統合アプリケーション実行画面は、第３インタラクションによって互いに切り替え可能なことを特徴とする情報提供方法。
【請求項２】
前記統合アプリケーション実行画面を表示するステップは、
第１情報表示領域及び第２情報表示領域を有する実行画面を構成するステップと、
前記第１情報表示領域及び前記第２情報表示領域を通じて提供される実際データを統合アプリケーションに適合するフォーマットの情報に変換するステップと、
前記変換された情報を前記第１情報表示領域及び前記第２情報表示領域のそれぞれに表示するステップと、を含むことを特徴とする請求項１に記載の情報提供方法。
【請求項３】
前記第１情報表示領域又は前記第２情報表示領域に前記第１インタラクションが生じると、前記インタラクションが生じた当該情報表示領域に示された情報に連係されたアプリケーションを実行するステップと、
前記第１情報表示領域又は前記第２情報表示領域に示された情報に対応する実際データを表示するステップと、を更に含むことを特徴とする請求項２に記載の情報提供方法。
【請求項４】
前記第２インタラクションを要請するナビゲーションによって前のデータ又は次のデータを切り替えて表示するステップを更に含むことを特徴とする請求項３に記載の情報提供方法。
【請求項５】
前記第２インタラクションによって前記アプリケーションを終了し、前記統合アプリケーション実行画面を表示するステップを更に含むことを特徴とする請求項３に記載の情報提供方法。
【請求項６】
前記第２インタラクションによって編集モードに切り替えるステップを更に含むことを特徴とする請求項３に記載の情報提供方法。
【請求項７】
前記編集モードで実際データが変更されると、前記情報表示領域に示された情報を自動的に更新するステップを更に含むことを特徴とする請求項６に記載の情報提供方法。
【請求項８】
前記編集モードで実際データを変更するステップと、
前記実際データの変更後に前記編集モードを終了するステップと、
前記変更された実際データを表示するステップと、
前記実行されたアプリケーションの終了時に前記統合アプリケーション実行画面を表示するステップと、
前記変更された実際データに対応する情報を前記統合アプリケーションに適合するフォーマットで該当情報表示領域に表示するステップと、を更に含むことを特徴とする請求項７に記載の情報提供方法。
【請求項９】
前記第２インタラクションによって前記実行されたアプリケーションを終了し、前記統合アプリケーション実行画面に切り替えて表示するステップを更に含むことを特徴とする請求項３に記載の情報提供方法。
【請求項１０】
前記第１情報表示領域に表示された情報に連係されたアプリケーションと前記第２情報表示領域に表示された情報に連係されたアプリケーションとは、互いに異なるタイプであることを特徴とする請求項３に記載の情報提供方法。
【請求項１１】
複数の情報表示領域を有する少なくとも２つの統合アプリケーション実行画面を表示する表示部と、
統合アプリケーション実行画面の複数の情報表示領域のうちから第１インタラクションが生じた前記情報表示領域のうちの一つに表示された情報に連係されたアプリケーションの実行を制御し、アプリケーションの実行に伴う情報に対応する実際データを表示し、前記アプリケーションの実行画面で特定の動作を実行するための第２インタラクションに対応する特定の動作を実行する画面の表示を制御する制御部と、を備え、
前記特定の動作は、
前記アプリケーションの実行画面の前又は次のデータを表示するためのインタラクションと、
前記統合アプリケーション実行画面を再び表示するためのインタラクションと、
前記アプリケーションの実行画面を編集するためのインタラクションと、のうちの少なくとも１つであり、
前記少なくとも２つの統合アプリケーション実行画面は、第３インタラクションによって互いに切り替え可能なことを特徴とする情報提供装置。
【請求項１２】
前記複数の情報表示領域は、統合アプリケーションに適合する表示フォーマットで情報を表示することを特徴とする請求項１１に記載の情報提供装置。
【請求項１３】
前記制御部は、前記統合アプリケーション実行画面を構成するため、第１情報表示領域に提供される情報のデータアドレスと、第２情報表示領域に提供される情報のデータアドレスとを追跡することを特徴とする請求項１２に記載の情報提供装置。
【請求項１４】
前記制御部は、前記データアドレスにより検索された実際データを前記第１情報表示領域及び前記第２情報表示領域を通じてサポートされるフォーマットに変換して各情報の表示を制御することを特徴とする請求項１３に記載の情報提供装置。
【請求項１５】
前記制御部は、前記情報表示領域に示された情報に対応する実際データが変更されると、前記情報表示領域に示された情報を更新することを特徴とする請求項１３に記載の情報提供装置。
【請求項１６】
前記情報提供装置は、携帯端末であることを特徴とする請求項１３に記載の情報提供装置。
【請求項１７】
情報提供装置における情報提供方法であって、
複数のアプリケーションのそれぞれに対応する複数の情報表示領域からなる少なくとも２つの統合アプリケーション実行画面を前記情報提供装置の表示部に表示するステップと、
前記情報表示領域のうちの一つに対する第１ユーザインタラクションを検出するステップと、
前記第１ユーザインタラクションに対応する前記情報表示領域を確認するステップと、
前記確認された情報表示領域に対応する前記アプリケーションを実行するステップと、
前記確認された情報表示領域に含まれる情報に対応する実際データを前記実行されたアプリケーションのフォーマットで表示するステップと、
前記アプリケーションの実行画面で特定の動作を実行するための第２ユーザインタラクションを検出するステップと、
前記第２ユーザインタラクションの検出によって前記第２ユーザインタラクションに対応する前記特定の動作を実行する画面を表示するステップと、を有し、
前記特定の動作は、
前記アプリケーションの実行画面の前又は次のデータを表示するためのインタラクションと、
前記統合アプリケーション実行画面を再び表示するためのインタラクションと、
前記アプリケーションの実行画面を編集するためのインタラクションと、のうちの少なくとも１つであり、
前記少なくとも２つの統合アプリケーション実行画面は、第３インタラクションによって互いに切り替え可能なことを特徴とする情報提供方法。
【請求項１８】
前記統合アプリケーション実行画面は多数の情報表示領域からなり、前記統合アプリケーション実行画面のそれぞれが前記複数の情報表示領域からなることを特徴とする請求項１７に記載の情報提供方法。
【請求項１９】
各アプリケーションの実際データを統合アプリケーションによってサポートされる統合フォーマットに変換するステップと、
前記各アプリケーションの実際データを対応する情報表示領域に表示するステップと、を更に含むことを特徴とする請求項１８に記載の情報提供方法。
【請求項２０】
前記情報提供装置は、携帯端末であることを特徴とする請求項１７に記載の情報提供方法。
【発明の詳細な説明】
【技術分野】
【０００１】
本発明は、携帯端末に関し、より詳細には、携帯端末において、一つのアプリケーションで複数の他のアプリケーションから取得された複数の情報をアプリケーションのフォーマットに合わせて提供する携帯端末における情報提供方法及び装置に関する。
【背景技術】
【０００２】
近年、情報通信技術と半導体技術などの著しい発展に力づけられ、各種携帯端末の普及と利用が急速に増加している。特に、最近の携帯端末は、伝統的な固有領域に留まらず、他の端末の領域まで合わせるモバイル融合（ｍｏｂｉｌｅ  ｃｏｎｖｅｒｇｅｎｃｅ）段階に至っている。代表的に、移動通信端末の場合には、音声通話やメッセージ送受信のような一般的な通信機能の他に、ＴＶ視聴機能（例えば、ＤＭＢ（Ｄｉｇｉｔａｌ  Ｍｕｌｔｉｍｅｄｉａ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）のような移動放送）、音楽再生機能（例えば、ＭＰ３（ＭＰＥＧ  Ａｕｄｉｏ  Ｌａｙｅｒ−３））、写真撮影機能、インターネット接続機能、辞書検索機能などの各種マルチメディア機能が付加されている。
【０００３】
一方、従来の携帯端末は、特定アプリケーションを実行し、実行されたアプリケーションの画面を表示する単一作業（ｓｉｎｇｌｅ  ｔａｓｋｉｎｇ）形式で動作した。即ち、従来の携帯端末で、特定アプリケーションの実行による該当画面を表示し、他のアプリケーションを使用するためには、現在実行中であるアプリケーションを終了するか、マルチタスキングによってバックグラウンド処理後、新しいアプリケーションを実行してその画面を表示した。従って、このような従来の携帯端末は、複数のアプリケーションに対するそれぞれの情報を同時に確認しようとするユーザの欲求を満足させることができないという問題点があった。
【発明の概要】
【発明が解決しようとする課題】
【０００４】
本発明は、上記従来の問題点に鑑みてなされたものであって、本発明の目的は、携帯端末で、一つのアプリケーションの運用により、複数の他のアプリケーションに対する複数の情報を直観的に提供することにある。
また、本発明の目的は、特定アプリケーションで複数の他のアプリケーションから取得された複数の情報を特定アプリケーションのフォーマットに合わせて表示する携帯端末及びその制御方法を提供することにある。
また、本発明の目的は、一つのアプリケーションに複数の他のアプリケーションの情報を表示する情報表示領域を提供し、各情報表示領域に入力されるインタラクションにより該当情報に連係されたアプリケーションを実行して、詳細情報表示が可能なユーザインターフェース環境を実現することにある。
また、本発明の目的は、特定アプリケーションの実行により、複数の他のアプリケーションに対する複数の情報を表示し、他のアプリケーションで変更された情報を特定アプリケーションで自動的に更新するようにして、携帯端末の使用性及び便宜性を向上することにある。
【課題を解決するための手段】
【０００５】
上記目的を達成するためになされた本発明の一態様による携帯端末における情報提供方法は、統合アプリケーションの実行時に複数の情報表示領域を有する実行画面を表示するステップと、前記複数の情報表示領域のうちの一つに生じたインタラクションを検出するステップと、前記インタラクションの検出によって前記情報表示領域に示された情報に連係されたアプリケーションを実行するステップと、前記インタラクションの検出によって前記情報表示領域に示された情報に対応する実際データを表示するステップと、を有する。
【０００６】
上記目的を達成するためになされた本発明の一態様による情報提供装置は、複数の情報表示領域を有する実行画面を表示する表示部と、複数の情報表示領域のうちのインタラクションが生じた前記情報表示領域のうちの一つに示された情報に連係されたアプリケーションの実行を制御し、アプリケーションの実行に伴う情報に対応する実際データの表示を制御する制御部と、を備える。
【０００７】
上記目的を達成するためになされた本発明の他の態様による情報提供装置における情報提供方法は、複数のアプリケーションのそれぞれに対応する複数の情報表示領域からなる統合アプリケーションの実行画面を前記情報提供装置の表示部に表示するステップと、前記情報表示領域のうちの一つに対するユーザインタラクションを検出するステップと、前記ユーザインタラクションに対応する前記情報表示領域を確認するステップと、前記確認された情報表示領域に対応する前記アプリケーションを実行するステップと、前記確認された情報表示領域に含まれる情報に対応する実際データを前記実行されたアプリケーションのフォーマットで表示するステップと、を有する。
【発明の効果】
【０００８】
本発明の情報提供方法及び装置によれば、一つのアプリケーションで他のアプリケーションの複数の情報をアプリケーションのフォーマットに合わせて表示し、表示された情報の運用方法を提供する。このような本発明は、携帯端末で一つのアプリケーションの運用により、複数の他のアプリケーションに対する複数の情報を同時に確認するための最適の環境を提供し、ユーザインタラクションによって連係されたアプリケーションにおける詳細情報表示及び管理機能が実現される。本発明は、各アプリケーション別の該当情報修正のためにそれぞれのアプリケーションにアクセスしなければならないという煩わしさを最小化することにより、携帯端末の使用性、便宜性及び競争力の向上に寄与することができる。
【図面の簡単な説明】
【０００９】
【図１】本発明の一実施形態による携帯端末の構成を概略的に示した図である。
【図２】本発明の一実施形態による統合アプリケーションの実行画面の例を示した図である。
【図３】本発明の一実施形態による統合アプリケーションの実行画面間の切り替え方法の例を示した図である。
【図４】本発明の一実施形態による統合アプリケーションにおけるユーザインタラクションの動作例を示した図である。
【図５】本発明の一実施形態による統合アプリケーションにおけるユーザインタラクションの動作例を示した図である。
【図６】本発明の一実施形態による統合アプリケーションにおけるユーザインタラクションの動作例を示した図である。
【図７】本発明の一実施形態による統合アプリケーションを通じて実際データを編集する動作例を示した図である。
【図８】本発明の一実施形態による統合アプリケーションにおけるユーザインタラクションの制御方法を示したフローチャートである。
【発明を実施するための形態】
【００１０】
以下、本発明を実施するための形態の具体例を、図面を参照しながら詳細に説明する。ここで、添付された図面で同一の構成要素は、なるべく同一の符号で示していることに留意しなければならない。また、本発明の要旨を不明瞭にする可能性がある公知機能及び構成についての詳細な説明は省略する。即ち、下記の説明では、本発明の実施形態による動作を理解するのに必要な部分だけを説明し、それ以外の部分の説明は、本発明の要旨を不明瞭にしないように省略することに留意しなければならない。
【００１１】
本発明の実施形態によると、一つのアプリケーションに複数の他のアプリケーションの情報を表示する情報表示領域を提供する。そして、情報表示領域に入力されるインタラクションにより、該当情報表示領域の情報に連係されたアプリケーションの実行及び実行アプリケーションによる情報表示が可能である。このために、本発明の実施形態では、一つのアプリケーションで複数のアプリケーションの各情報を一つのアプリケーションのフォーマットに合わせて表示し、ユーザインタラクションによって情報表示領域の情報に連係されたアプリケーションの実行及び実行アプリケーションによる情報管理が可能な携帯端末及びその制御方法を提案する。
【００１２】
以下では、本発明の実施形態による携帯端末の構成及びその動作制御方法について、図１〜図８を参照しながら説明する。しかし、本発明の実施形態による携帯端末の構成及びその制御方法が後述する内容に制限されるか又は限定されるものではないため、下記の実施形態に基づいて多様な実施形態に適用できることに留意しなければならない。
【００１３】
図１は、本発明の一実施形態による携帯端末の構成を概略的に示した図である。
【００１４】
図１を参照すると、携帯端末は、入力部１００、格納部２００、表示部３００、及び制御部４００を含んで構成される。この他にも、携帯端末は、通信機能を行うための無線周波数ＲＦ（Ｒａｄｉｏ  Ｆｒｅｑｕｅｎｃｙ）部、マイク（ＭＩＣ）とスピーカー（ＳＰＫ）を具備するオーディオ処理部、デジタル放送（例えば、ＤＭＢやＤＶＢのような移動放送）の受信と再生を行うためのデジタル放送モジュール、写真撮影機能のためのカメラモジュール、ＢＬＵＥＴＯＯＴＨ（登録商標）通信機能を行うためのブルートゥース通信モジュール、インターネット通信機能を行うためのインターネット通信モジュールなどの通常の構成を更に含んでもよいが、それに対する説明及び図示は省略する。
【００１５】
入力部１００は、ユーザの操作行為を感知し、それによる入力信号を生成して制御部４００に伝達する。入力部２００は、複数のボタンで構成されてもよい。特に、入力部１００は、後述するような統合アプリケーションの実行、情報表示領域の選択、統合アプリケーション間の切り替えなどによる入力信号を生成する一つ以上のボタンを具備する。
【００１６】
格納部２００は、携帯端末で実行されて処理される各種プログラムとデータを格納し、一つ以上の揮発性メモリ素子と不揮発性メモリ素子で構成される。例えば、格納部２００は、携帯端末のオペレーティングシステム、表示部３００の表示制御動作に関連するプログラムとデータ、一つのアプリケーションに複数の情報を同時に提供する機能実行に関連するアプリケーション（例えば、統合アプリケーション）とデータなどを持続的に又は一時的に格納する。格納部２００は、実際データのフォーマットが変換された情報が統合アプリケーションで表示される間、関連情報を持続的に又は一時的に格納する格納領域（例えば、バッファなど）を具備してもよい。
【００１７】
表示部３００は、携帯端末でサポートするアプリケーションの実行画面を提供する。例えば、メッセージ機能、電子メール機能、インターネット機能、マルチメディア機能、検索機能、通信機能、電子ブック読み取り機能（例えば、ｅ−ｂｏｏｋ）、動画機能、写真撮影機能、写真ビュー機能、ＴＶ視聴機能（例えば、ＤＭＢやＤＶＢのような移動放送）、音楽再生機能（例えば、ＭＰ３）、ウィジェット機能などの実行画面を提供する。表示部３００は、液晶表示装置ＬＣＤ（Ｌｉｑｕｉｄ  Ｃｒｙｓｔａｌ  Ｄｉｓｐｌａｙ）を使用することが一般的であるが、有機発光ダイオードＯＬＥＤ（Ｏｒｇａｎｉｃ  Ｌｉｇｈｔ  Ｅｍｉｔｔｉｎｇ  Ｄｉｏｄｅ）、能動型ＯＬＥＤ（ＡＭＯＬＥＤ、Ａｃｔｉｖｅ  Ｍａｔｒｉｘ  ＯＬＥＤ）などのような他の表示装置を使用してもよい。表示部３００は、画面データを表示する際、横モードを提供するか又は縦モードを提供する。
【００１８】
表示部３００は、タッチ入力部（図示せず）を具備することができる。即ち、表示部３００は、タッチスクリーン（ｔｏｕｃｈｓｃｒｅｅｎ）で実現される。表示部３００は、タッチスクリーンの構成により、後述するようなユーザインタラクションによる入力信号を生成して制御部４００に伝達する。
【００１９】
特に、表示部３００は、一つのアプリケーションの実行画面で複数の他のアプリケーションの各情報を同時に表示することができる。表示部３００は、一つのアプリケーションの実行画面を複数の情報表示領域に区分し、区分された情報表示領域を通じてそれぞれ異なる複数の情報を表示する。これについては後述する動作例で説明する。本明細書で複数の他のアプリケーションの複数の情報を同時に表示するアプリケーションを統合アプリケーションと称することにする。本発明で複数の他のアプリケーション、一つのアプリケーション、統合アプリケーション、実行アプリケーションは、説明のために便宜上区分したものである。
【００２０】
制御部４００は、携帯端末の全般的な動作を制御する。制御部４００は、統合アプリケーションの実行を制御する。制御部４００は、統合アプリケーションの実行時、複数の他のアプリケーションの情報を表示できる情報表示領域に区分して提供する。そして、制御部４００は、情報表示領域に複数の他のアプリケーションの情報を表示する際、該当情報を、統合アプリケーションを通じて表示可能なフォーマットに変換して表示する。統合アプリケーションの情報表示領域に表示される複数の情報は、実際の情報が統合アプリケーションの表示フォーマットに変換されて、格納部２００に持続的又は一時的に格納される。制御部４００は、統合アプリケーションの実行時、情報表示領域に表示される情報に連係されたアプリケーションを追跡して、そのマッピングテーブルを生成し、これを格納部２００に持続的又は一時的に格納する。
【００２１】
制御部４００は、統合アプリケーションの実行による複数の他の情報を表示した後、情報表示領域を通じて特定ユーザインタラクションの入力を受けることができる。制御部４００は、入力されたインタラクションにより、インタラクションが入力された該当情報表示領域の情報に連係されたアプリケーションを検索して実行する。そして、制御部４００は、実行されたアプリケーションを通じて該当情報の実際の情報を表示し、実行アプリケーションによる運用動作を制御する。制御部４００は、実行アプリケーションの実行時、統合アプリケーションをバックグラウンドで処理して維持することができる。
【００２２】
制御部４００は、上述したように、統合アプリケーションで複数の異なるそれぞれの情報を自動的に統合アプリケーションのフォーマットに合わせて表示する。そして、情報表示領域に提供される情報に対応する実際データが変更される際、変更された実際データの情報を自動的に更新して表示する。また、制御部４００は、複数の情報を自動的にフォーマットして表示する統合アプリケーションの実行画面において、表示情報領域で特定情報に入力されたインタラクションにより、それに連係されたアプリケーションを実行し、実際データの表示を制御する。その他にも、制御部４００は、統合アプリケーション、実行アプリケーションなどのアプリケーションの実行による機能制御に関連する各種制御動作を行う。これに対しては後述する携帯端末の動作制御方法で説明する。
【００２３】
一方、図１に示した本発明の携帯端末は、バータイプ、フォルダタイプ、スライドタイプ、スイングタイプ、フリップタイプなどの全てのタイプの携帯端末に適用することができる。そして、本発明の携帯端末は、全ての情報通信機器、マルチメディア機器、及びそれに対する応用機器を含んでもよい。例えば、携帯端末は、多様な通信システムに対応する通信プロトコル（ｃｏｍｍｕｎｉｃａｔｉｏｎ  ｐｒｏｔｏｃｏｌｓ）に基づいて作動する移動通信端末機（ｍｏｂｉｌｅ  ｃｏｍｍｕｎｉｃａｔｉｏｎ  ｔｅｒｍｉｎａｌ）、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、ミュージックプレーヤー（例えば、ＭＰ３プレーヤー）、携帯ゲーム端末、及びスマートフォン（Ｓｍａｒｔ  Ｐｈｏｎｅ）などの小型デバイスを含んでもよい。また、本発明のそれぞれ異なるアプリケーションの複数の情報の一つのアプリケーションを通じた同時表示及びその制御方法は、ＴＶ（Ｔｅｌｅｖｉｓｉｏｎ）、ＬＦＤ（Ｌａｒｇｅ  Ｆｏｒｍａｔ  Ｄｉｓｐｌａｙ）、ＤＳ（Ｄｉｇｉｔａｌ  Ｓｉｇｎａｇｅ）、メディアポール（ｍｅｄｉａ  ｐｏｌｅ）、パーソナルコンピュータ（ＰＣ、Ｐｅｒｓｏｎａｌ  Ｃｏｍｐｕｔｅｒ）、及びノートブック（Ｎｏｔｅｂｏｏｋ）等の中大型デバイスに適用して運用されてもよい。
【００２４】
図２は、本発明の一実施形態による統合アプリケーションの実行画面の例を示した図である。
【００２５】
図２に示すように、図２は、特定日付の写真情報とメモ情報のような二つの情報が統合アプリケーションによって同時に提供される例を示す。この他にも、本発明は、スケジュール情報＆メモ情報、スケジュール情報＆写真情報、メッセージ情報＆写真情報、メール情報＆写真情報、写真情報＆動画情報、メモ情報＆動画情報、スケジュール情報＆メモ情報＆写真情報などのように、二つの他の情報又は二つ以上の他の情報が分割された情報表示領域にそれぞれ表示されてもよいが、それに対する説明と図示は省略する。
【００２６】
図２を参照すると、表示部３００は、複数の情報表示領域６１０、６３０に区分された統合アプリケーションの実行画面５００、オプション設定、特定アプリケーションの実行及びメニュー実行のための少なくとも一つのサブメニューを含むメニュー領域７００などを含んで表示する。図２でメニュー領域７００の表示は省略されてもよい。図２では、情報表示領域６００が二つに区分された場合を仮定する。しかし、情報表示領域６００は、携帯端末の基本設定又はユーザの設定により、三つ以上に区分されて表示されてもよい。そして、統合アプリケーションの実行画面５００は、少なくとも一つが表示され、図２では、二つの統合アプリケーションの実行画面５１０、５３０が提供される場合を仮定する。実行画面５１０、５３０間の切り替え方法は、後述する動作例で説明する。
【００２７】
携帯端末は、設定された方法で統合アプリケーションの実行が可能である。例えば、携帯端末に具備された入力部１００のショートカットキーボタン（図示せず）の入力、表示部３００上に統合アプリケーションの実行のために割り当てられたタッチ領域の入力、メニュー領域７００のメニュー選択入力などによって実行することができる。
【００２８】
統合アプリケーションの実行が入力されると、図２に示すように、表示部３００に統合アプリケーションの二つの実行画面５１０、５３０が表示される。例えば、第１実行画面５１０と第２実行画面５３０が表示される。第２実行画面５３０は、その輪郭のみが提供され、ユーザインタラクションによって各情報を含む全体画面が表示される。そして、統合アプリケーションの実行が行われると、第１実行画面５１０に二つの領域に区分された情報表示領域６１０、６３０のそれぞれに複数のアプリケーションに対するそれぞれの情報が示される。例えば、第１情報表示領域６１０には、メモアプリケーションによるメモ情報が示され、第２情報表示領域６１０には、写真アプリケーションによる写真情報が示される。そして、第１情報表示領域６１０のメモ情報と第２情報表示領域６３０の写真情報は、同一日付に記録及び撮影されて格納された情報を表示する。これにより、実行画面５００は、日付情報を情報表示領域６００のうち、設定された特定領域に提供することができる。本明細書で、第１情報表示領域、第２情報表示領域、メモアプリケーション、写真アプリケーション、第１実行画面、第２実行画面は、説明のために便宜上区分したものである。
【００２９】
情報表示領域６００に表示される情報は、統合アプリケーションの実行画面５００に表示可能なように、実際データが統合アプリケーションのフォーマットに対応するように変更されたデータである。例えば、第１情報表示領域６１０のメモ情報は、メモアプリケーションにより作成されて格納された実際データが第１情報表示領域６１０の規格に対応するフォーマットに変換されたアイテムとして表示され、第２情報表示領域６３０の写真情報は、写真アプリケーションにより撮影されて格納された実際データが第２情報表示領域６３０の規格に対応するフォーマットに変換されたアイテムとして表示される。アイテムは、情報表示領域６００に提供される情報に連係されたアプリケーションのタイプにより、静的なイメージ形態で提供されてもよく、動的なアニメーション形態で提供されてもよい。
【００３０】
図３は、本発明の一実施形態による統合アプリケーションの実行画面間の切り替え方法の例を示した図である。
【００３１】
図３を参照すると、参照番号３０１に示すように、表示部３００上に統合アプリケーションの実行による第１実行画面５１０と第２実行画面５３０が表示された状態を仮定する。そして、上述したように第１実行画面５１０には、第１情報表示領域６１０にメモ情報が示され、第２情報表示領域６３０に写真情報が示される。
【００３２】
参照番号３０１のように、表示部３００に第１実行画面５１０がメインとして表示された状態において、設定された方法で第２実行画面５３０をメイン画面に切り替えることが可能である。例えば、参照番号３０１に示すように、第２実行画面５３０を選択するインタラクションを入力する。インタラクションの入力は、実行画面５３０を選択する入力であってもよく、画面の切り替えを命令する入力であってもよい。例えば、インタラクションの入力は、タップインタラクション、スワイプインタラクション、フリックインタラクション、ドラッグインタラクション、ムーブインタラクションなどを含む。
【００３３】
インタラクションが入力されると、参照番号３０３に示すように、表示部３００上に第２実行画面５３０が表示される。第１実行画面５１０に表示された情報と、第２実行画面５３０に表示された情報とは、同一日付の異なる情報であるか、又は異なる日付の異なる情報である。このとき、第１実行画面５１０の表示は省略され、第２実行画面５３０の位置に第３実行画面５５０の輪郭が表示される。また、統合アプリケーションにより設定された情報が、上述したような第１実行画面５１０の情報と第２実行画面５３０の情報のみが存在する場合、第３実行画面５５０の代わりに第１実行画面５１０の輪郭が表示される。
【００３４】
図４は、本発明の一実施形態による統合アプリケーションにおけるユーザインタラクションの動作例を示した図である。
【００３５】
図４を参照すると、参照番号４０１に示すように、表示部３００上に統合アプリケーションの実行による実行画面５００が表示された状態を仮定する。そして、上述したように実行画面５００は、第１情報表示領域６１０にメモ情報が示され、第２情報表示領域６３０に写真情報が示される。メモ情報は、メモアプリケーションを通じて作成されて格納された実際のメモデータのフォーマット変換により表示され、写真情報は、写真アプリケーションを通じて撮影されて格納された実際の写真データのフォーマット変換により表示される。本明細書で、写真データは、実際の写真のみを提供するか、又は、実際の写真とそれにより記録されたメモ（例えば、撮影場所、時間、関連内容など）が結合された形態を有してもよい。
【００３６】
参照番号４０１のように、統合アプリケーションの実行により表示される情報表示領域６００にインタラクションの入力が可能である。例えば、第１情報表示領域６１０にインタラクションを行う場合、第１情報表示領域６１０の情報（例えば、メモ情報）に連係されたアプリケーション（例えば、メモアプリケーション）が実行され、第２情報表示領域６３０にインタラクションを行う場合、第２情報表示領域６３０の情報（例えば、写真情報）に連係されたアプリケーション（例えば、写真アプリケーション）が実行される。図４では、第１情報表示領域６１０にインタラクションが入力される場合を仮定する。
【００３７】
参照番号４０１のような状態で、ユーザインタラクションによって第１情報表示領域６１０のメモ情報に対する詳細情報（例えば、実際データ）の確認が可能である。例えば、参照番号４０１に示すように、メモ情報が示された第１情報表示領域６１０を選択するインタラクションを入力する。ここで、インタラクションは、入力部１００による物理的なキーの入力であってもよく、表示部３００で第１情報表示領域６１０によるタッチの入力であってもよい。
【００３８】
インタラクションが入力されると、参照番号４０３に示すように、メモアプリケーションが実行されてその画面が表示される。このとき、参照番号４０３では、第１情報表示領域６１０に示されたメモ情報に対応する実際のメモデータが表示される。例えば、制御部４００は、第１情報表示領域６１０にインタラクションが入力されると、第１情報表示領域６１０の情報に連係されたアプリケーション（例えば、メモアプリケーション）を追跡（Ｔｒａｃｅ）して実行する。そして、メモアプリケーションの実行時、第１情報表示領域６１０の情報に対応する実際データ（例えば、メモデータ）を追跡し、その画面表示を制御する。参照番号４０３に示すように実際のメモデータは、第１情報表示領域６１０を通じて表示されたメモ情報をはじめとして、ユーザにより作成された全体のメモ情報が提供される。
【００３９】
参照番号４０３のような状態で、表示部３００に表示されたメモデータの編集又は他のメモデータ（例えば、前のメモデータ、次のメモデータ）への移動が可能である。メモデータのような実際データの編集動作は、後述する動作例で説明する。
【００４０】
参照番号４０３のような状態で、ユーザは、表示部３００の画面で前又は後のデータ表示を命令するインタラクションを入力することができる。本明細書では、前のデータ表示を命令するインタラクションが入力される場合を仮定する。例えば、参照番号４０３に示すように、表示部３００の特定領域にタッチの入力後、右側に移動するスワイプ入力のようなインタラクションを入力する。このように、画面切り替えのためのインタラクションは、入力部１００の物理的なキー（例えば、方向キー）によって入力されてもよい。
【００４１】
インタラクションが入力されると、参照番号４０５に示すように、参照番号４０３のメモデータの前のメモデータが表示部３００に表示される。本明細書で前のメモデータ、次のメモデータは、説明のために便宜上区分したものである。例えば、参照番号４０５の前のメモデータは、参照番号４０３のメモデータよりも前に作成されて格納されたメモデータを示し、参照番号４０３のメモデータよりも前の日付に作成されて格納されたメモデータであるか、又は参照番号４０３のメモデータと同一の日付に作成されて格納されたメモデータである。
【００４２】
一方、図４では、具体的な図示と説明は省略したが、参照番号４０３又は参照番号４０５のような状態で、次のメモデータの表示を命令するインタラクションを入力することができる。このようなインタラクションの入力により、現在の表示部３００上に表示されたメモデータを基準として、次に位置するメモデータの表示が可能である。例えば、参照番号４０３又は参照番号４０５のような状態で、表示部３００の特定領域にタッチの入力後、左側に移動するインタラクションを入力すると、表示部３００に次のメモデータが表示される。
【００４３】
図５は、本発明の一実施形態による統合アプリケーションにおけるユーザインタラクションの動作例を示した図である。
【００４４】
図５を参照すると、参照番号５０１に示すように、表示部３００上に統合アプリケーションの実行による実行画面５００が表示された状態を仮定する。そして、上述したように実行画面５００は、第１情報表示領域６１０にメモ情報が示され、第２情報表示領域６３０に写真情報が示される。上述したように、メモ情報は、メモアプリケーションを通じて作成されて格納された実際のメモデータのフォーマット変換により表示され、写真情報は、写真アプリケーションを通じて撮影されて格納された実際の写真データのフォーマット変換により表示される。
【００４５】
参照番号５０１のように、統合アプリケーションの実行により表示される情報表示領域６００にインタラクションの入力が可能である。例えば、第１情報表示領域６１０にインタラクションを行う場合、第１情報表示領域６１０の情報に連係されたアプリケーション（例えば、メモアプリケーション）が実行され、第２情報表示領域６３０にインタラクションを行う場合、第２情報表示領域６３０の情報に連係されたアプリケーション（例えば、写真アプリケーション）が実行される。図５では、第２情報表示領域６３０にインタラクションが入力される場合を説明する。
【００４６】
参照番号５０１のような状態で、ユーザインタラクションによって第２情報表示領域６３０の写真情報に対する詳細情報（例えば、実際データ）の確認が可能である。例えば、参照番号５０１に示すように、写真情報が示された第２情報表示領域６３０を選択するインタラクションを入力する。ここで、インタラクションは、上述したように、入力部１００による物理的なキーの入力であってもよく、表示部３００で第２情報表示領域６３０によるタッチの入力であってもよい。
【００４７】
インタラクションが入力されると、参照番号５０３に示すように、写真アプリケーションが実行されてその画面が表示される。ここで、参照番号５０３では、第２情報表示領域６３０に示された写真情報に対応する実際の写真データが表示される。例えば、制御部４００は、第２情報表示領域６３０にインタラクションが入力されると、第２情報表示領域６３０の情報に連係されたアプリケーション（例えば、写真アプリケーション）を追跡して実行する。そして、写真アプリケーションの実行時、第２情報表示領域６３０の情報に対応する実際データ（例えば、写真データ）を追跡し、その画面表示を制御する。参照番号５０３に示すように実際の写真データは、第２情報表示領域６３０を通じて表示されたイメージを原本の大きさに拡大し、写真データに関連する全体内容が提供される。
【００４８】
参照番号５０３のような状態で、表示部３００に表示された写真データの編集又は他の写真データ（例えば、前の写真データ、次の写真データ）への移動が可能である。写真データのような実際データの編集動作は、後述する動作例で説明する。
【００４９】
参照番号５０３のような状態で、ユーザは、表示部３００の画面で前又は後のデータ表示を命令するインタラクションを入力することができる。本明細書では、前のデータ表示を命令するインタラクションが入力される場合を仮定する。例えば、参照番号５０３に示すように、表示部３００の特定領域にタッチの入力後、右側に移動するスワイプ入力のようなインタラクションを入力する。このように、画面切り替えのためのインタラクションは、入力部１００の物理的なキー（例えば、方向キー）によって入力されてもよい。
【００５０】
インタラクションが入力されると、参照番号５０５に示すように、参照番号５０３の写真データの前の写真データが表示部３００に表示される。本明細書で前の写真データ、次の写真データは、説明のために便宜上区分したものである。例えば、参照番号５０５の前の写真データは、参照番号５０３の写真データよりも前に撮影されて格納された写真データを示し、参照番号５０３の写真データよりも前の日付に撮影されて格納された写真データであるか、又は参照番号５０３の写真データと同一の日付に撮影されて格納された写真データである。
【００５１】
一方、図５では、具体的な図示と説明は省略したが、参照番号５０３又は参照番号５０５のような状態で、次の写真データの表示を命令するインタラクションを入力することができる。このようなインタラクションの入力により、現在の表示部３００上に表示された写真データを基準として、次に位置する写真データの表示が可能である。例えば、参照番号５０３又は参照番号５０５のような状態で、表示部３００の特定領域にタッチの入力後、左側に移動するインタラクションを入力すると、表示部３００に次の写真データが表示される。
【００５２】
図６は、本発明の一実施形態による統合アプリケーションにおけるユーザインタラクションの動作例を示した図である。
【００５３】
図６を参照すると、参照番号６０１に示すように、表示部３００上に統合アプリケーションの実行による実行画面５００が表示された状態を仮定する。そして、上述したように実行画面５００は、第１情報表示領域６１０にメモ情報が示され、第２情報表示領域６３０に写真情報が示される。
【００５４】
参照番号６０１のように、統合アプリケーションの実行により表示される情報表示領域６００にインタラクションの入力が可能である。例えば、第１情報表示領域６１０にインタラクションを行う場合、参照番号６０３に示すように、第１情報表示領域６１０のメモ情報に連係されたメモアプリケーションが実行され、その画面が表示される。そして、第２情報表示領域６３０にインタラクションを行う場合、参照番号６０５に示すように、第２情報表示領域６３０の写真情報に連係された写真アプリケーションが実行され、その画面が表示される。
【００５５】
参照番号６０３又は参照番号６０５のように、情報表示領域６００の情報に連係されたアプリケーションの実行による画面が表示された状態において、設定された方法で統合アプリケーションの実行状態への切り替えが可能である。例えば、携帯端末に具備された入力部１００のショートカットキーボタン（図示せず）の入力、表示部３００上のダブルタップの入力、メニュー選択によるバック（ｂａｃｋ）機能選択の入力のうちのいずれか一つによって切り替えが可能である。本明細書では、表示部３００上にダブルタップのようなインタラクションを入力する場合を仮定する。
【００５６】
参照番号６０３と参照番号６０５に示すように、表示部３００の画面で特定領域にダブルタップに対応するインタラクションが入力されると、参照番号６０７に示すように、参照番号６０３のメモアプリケーション又は参照番号６０５の写真アプリケーションの実行以前の画面が表示される。即ち、参照番号６０７に示すように、統合アプリケーションの実行画面５００が表示される。
【００５７】
図７は、本発明の一実施形態による統合アプリケーションを通じて実際データを編集する動作例を示した図である。
【００５８】
図７を参照すると、参照番号７０１に示すように、表示部３００上に統合アプリケーションの実行による実行画面５００が表示された状態を仮定する。そして、上述したように実行画面５００は、第１情報表示領域６１０にメモ情報が示され、第２情報表示領域６３０に写真情報が示される。
【００５９】
参照番号７０１のような状態において、上述したような、設定された方法で、第１情報表示領域６１０のメモ情報に連係されたメモアプリケーションの実行、又は第２情報表示領域６３０の写真情報に連係された写真アプリケーションの実行が可能である。図７では、第２情報表示領域６３０に入力されたインタラクションにより、参照番号７０３に示すように写真アプリケーションが実行され、その画面が表示される場合を例として説明する。写真アプリケーションの実行による画面は、参照番号７０１で第２情報表示領域６３０に表示された写真情報に対応する実際の写真データとしてその画面が表示される。
【００６０】
参照番号７０３のような状態において、設定された方法で表示部３００に示された写真データの編集が可能である。例えば、参照番号７０３のような状態において、入力部１００のショートカットキーボタンの入力、表示部３００を用いて設定されたジェスチャーの入力、メニューを利用した編集メニュー選択の入力などのようなインタラクションの入力が可能である。また、写真データの編集のためのインタラクションを入力すると、参照番号７０５に示すように、写真データの編集が可能な編集モードの画面が示される。
【００６１】
参照番号７０５のような状態で、ユーザは、写真データで写真及び関連内容のうちの少なくとも一つを編集することができる。例えば、参照番号７０７に示すように、表示される写真データとそれに関連する内容を変更する編集を行う。このような編集動作は、携帯端末でサポートされる編集ツールを用いて、添付写真選択、メモ入力、写真修正、エフェクト付与などの多様な編集が可能である。そして、参照番号７０７のように写真データの編集完了を入力すると、参照番号７０９に示すように編集モードを終了し、編集完了した写真データの画面が表示される。
【００６２】
参照番号７０９のような状態において、設定された方法で統合アプリケーションの実行状態への切り替えが可能である。例えば、上述したように、携帯端末に具備された入力部１００のショートカットキーボタン（図示せず）の入力、表示部３００上のダブルタップの入力、メニュー選択によるバック機能選択の入力のうちのいずれか一つによって切り替えが可能である。本明細書では、表示部３００上にダブルタップのようなインタラクションを入力する場合を仮定する。
【００６３】
参照番号７０９に示すように、表示部３００の画面で特定領域にダブルタップに対応するインタラクションが入力されると、参照番号７１１に示すように統合アプリケーションの実行画面５００が表示される。ここで、参照番号７１１で実行画面５００の第１情報表示領域６１０に表示されるメモ情報は、参照番号７０１で実行画面５００の第１情報表示領域６１０に表示されるメモ情報と同一に示される。その反面、参照番号７１１で第２情報表示領域６３０に表示される写真情報は、参照番号７０１で実行画面５００の第２情報表示領域６３０に表示される写真情報と異なるように示される。即ち、参照番号７０５〜参照番号７０９の進行により変更された写真データに対応する写真情報が示される。このように、個別アプリケーションを別々に実行して編集希望データを選択する手続なしに、統合アプリケーションでそれぞれのアプリケーションへの迅速な進入により編集が可能である。
【００６４】
一方、図７では、具体的な図示と説明は省略したが、第１情報表示領域６１０のメモ情報の編集も可能である。例えば、参照番号７０１のような状態で、第１情報表示領域６１０に入力されたインタラクションを通じてメモアプリケーション及び実際のメモデータを表示し、実際のメモデータを編集することができる。その後、メモアプリケーションを終了して統合アプリケーションの実行状態に切り替える際、第２情報表示領域６３０の写真情報は維持され、第１情報表示領域６１０のメモ情報は編集により変更された情報が示される。また、上述したような動作でメモ情報及び写真情報を両方編集することも可能であり、それに対する説明と図示は省略する。
【００６５】
図８は、本発明の一実施形態による統合アプリケーションにおけるユーザインタラクションの制御方法を示したフローチャートである。
【００６６】
図８を参照すると、制御部４００は、統合アプリケーションを実行する（８０１ステップ）。制御部４００は、統合アプリケーションの実行の際、統合アプリケーションの実行画面５００を構成する（８０３ステップ）。例えば、制御部４００は、実行画面５００の情報表示領域６００の分割個数を判別し、それにより実行画面（例えば、第１情報表示領域６１０と第２情報表示領域６３０に区分された実行画面）を構成する。そして、制御部４００は、統合アプリケーションの実行画面５００のうちのメインとして表示される実行画面（例えば、実行画面５１０）の情報表示領域６００に提供される情報を抽出する（８０５ステップ）。例えば、制御部４００は、第１情報表示領域６１０に提供される情報のデータアドレスと、第２情報表示領域６３０に提供される情報のデータアドレスとを追跡する。
【００６７】
次に、制御部４００は、各情報に対応する実際データのフォーマットを変換する（８０７ステップ）。例えば、制御部４００は、各情報のデータアドレスに対応する実際データを、第１情報表示領域６１０と第２情報表示領域６３０の表示規格に対応するフォーマットにそれぞれ変換する（８０７ステップ）。そして、制御部４００は、実際データが変換された情報を、図２で説明したように、第１情報表示領域６１０と第２情報表示領域６３０にそれぞれ表示する（８０９ステップ）。
【００６８】
次に、制御部４００は、実行画面５００の第１情報表示領域６１０と第２情報表示領域６３０を通じて複数の情報を表示した状態で、設定されたインタラクションの入力を受ける（８１１ステップ）。例えば、制御部４００は、統合アプリケーションによる複数の情報を表示する途中で、ユーザが第１情報表示領域６１０又は第２情報表示領域６３０にインタラクションを入力すると、その入力信号を受信する。
【００６９】
次に、制御部４００は、インタラクションの入力を感知すると、インタラクションが入力された情報表示領域の情報に連係されたアプリケーションを実行する（８１３ステップ）。例えば、制御部４００は、第１情報表示領域６１０にインタラクションの入力を感知すると、第１情報表示領域６１０の情報に連係されたアプリケーションを追跡し、その実行を制御する。また、制御部４００は、第２情報表示領域６３０にインタラクションの入力を感知すると、第２情報表示領域６３０の情報に連係されたアプリケーションを追跡し、その実行を制御する。本明細書で、第１情報表示領域６１０の情報に連係されたアプリケーションと、第２情報表示領域６３０の情報に連係されたアプリケーションとは、互いに異なるタイプのアプリケーションを示す。しかし、各情報表示領域の情報に連係されたそれぞれのアプリケーションは、同一タイプのアプリケーションとして提供されてもよい。これは、情報表示領域に表示設定される情報のタイプにより決定されてもよく、情報表示領域に対するユーザの指定アプリケーションにより決定されてもよい。
【００７０】
次に、制御部４００は、実行アプリケーションによる実際データの画面表示を制御する（８１５ステップ）。例えば、制御部４００は、第１情報表示領域６１０の情報に連係されたアプリケーションの実行の際、第１情報表示領域６１０の情報に対応する実際データを追跡して、表示部３００上に表示されるように制御する。また、制御部４００は、第２情報表示領域６３０の情報に連係されたアプリケーションの実行の際、第２情報表示領域６３０の情報に対応する実際データを追跡して、表示部３００上に表示されるように制御する。
【００７１】
次に、制御部４００は、実行アプリケーションによる実際データの画面表示状態で入力されるインタラクションによって該当動作の実行を制御する（８１７ステップ）。例えば、制御部４００は、実際データの画面が表示された状態で、前のデータ又は次のデータに切り替えるインタラクション（例えば、スワイプインタラクションなど）の入力を受ける。そうすると、図４及び図５で説明したように、インタラクションの進行により前のデータ又は次のデータに切り替えて、該当データの画面が表示されるように制御する。
【００７２】
また、制御部４００は、実際データの画面が表示された状態で、統合アプリケーションに切り替えるインタラクション（例えば、ダブルタップインタラクションなど）の入力を受けることができる。そうすると、図６で説明したように、インタラクションによって実行アプリケーションは終了し、統合アプリケーションによる実行画面が表示されるように制御する。
【００７３】
また、制御部４００は、実際データの画面が表示された状態で、編集モードに切り替えるインタラクション（例えば、タップインタラクション、編集メニュー選択インタラクションなど）の入力を受けることができる。そうすると、図７で説明したように、インタラクションによって編集モードを実行し、編集モードでユーザの要請による編集動作（例えば、実際データの変更動作）を制御する。そして、制御部４００は、編集動作が完了すると、編集モードを終了し、変更された実際データが表示されるように制御する。その後、制御部４００は、実行アプリケーションが終了すると、統合アプリケーションの実行画面表示を制御する。ここで、制御部４００は、実行画面の表示の際、変更された実際データのフォーマットを変換して、該当情報表示領域に変更された情報が表示されるように制御する。即ち、制御部４００は、変更された実際データにより、情報表示領域の情報が自動的に更新されるように制御する。
【００７４】
一方、上述したような本発明の一つのアプリケーションを通じて複数の情報を提供し、それに連係されたアプリケーションの実行を制御する方法は、多様なコンピュータ手段を通じて行われるプログラム命令形態で具現され、コンピュータ読み取り可能な記録媒体に記録され得る。ここで、コンピュータ読み取り可能な記録媒体は、プログラム命令、データファイル、データ構造などを単独で又は組み合わせて含んでもよい。一方、記録媒体に記録されるプログラム命令は、本発明のために特別に設計されて構成されたものであってもよく、コンピュータソフトウェアの当業者に公示されて使用可能なものであってもよい。
【００７５】
コンピュータ読み取り可能な記録媒体には、ハードディスク、フロッピー（登録商標）ディスク及び磁気テープのような磁気媒体（Ｍａｇｎｅｔｉｃ  Ｍｅｄｉａ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）のような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ、ＲＡＭ、フラッシュメモリなどのようなプログラム命令を格納して行うように特別に構成されたハードウェア装置が含まれる。また、プログラム命令には、コンパイラによって作られるような機械語コードだけでなく、インタープリタなどを使用してコンピュータによって実行される高級言語コードを含む。上述したハードウェア装置は、本発明の動作を行うために一つ以上のソフトウェアモジュールとして作動するように構成され、その逆も同様である。
【００７６】
そして、本発明が属する技術分野の当業者は、上述した本発明がその技術的思想や必須の特徴を変更せずに、他の具体的な形態で実施できることを理解するはずである。従って、以上で記述した実施形態は、全ての面で例示的なものであり、限定的なものではないことを理解しなければならない。そして、本発明の範囲は、上記詳細な説明よりは後述する特許請求の範囲によって示され、特許請求の範囲の意味及び範囲、その等価概念から導き出される全ての変更又は変形された形態が、本発明の範囲に含まれるものと解釈しなければならない。
【００７７】
以上、本明細書及び図面に開示した本発明の実施形態は、本発明の技術内容を容易に説明して本発明の理解を助けるために特定例を提示したものに過ぎず、本発明の範囲を限定するものではない。ここに開示した実施形態の他にも、本発明の技術的思想に基づいた他の変形形態が実施可能であることは、本発明が属する技術分野で通常の知識を有する者に自明である。
【符号の説明】
【００７８】
１００    入力部
２００    格納部
３００    表示部
４００    制御部
５００、５１０、５３０、５５０    統合アプリケーションの実行画面
６００、６１０、６３０    情報表示領域
７００    メニュー領域
【図１】
0005968788.tif 000002
【図２】
0005968788.tif 000003
【図３】
0005968788.tif 000004
【図４】
0005968788.tif 000005
【図５】
0005968788.tif 000006
【図６】
0005968788.tif 000007
【図７】
0005968788.tif 000008
【図８】
0005968788.tif 000009